(57)【要約】【課題】壁面板の不陸をなくすことができ、しかも、壁体としての面内剛性の強化とスタッドの振止めを実現できながら、高い遮音性能を維持することができる千鳥スタッド間仕切り構造を提供する。【解決手段】各スタッド４は金物８で各ランナー３に固定され、該金物８は、ベース板部９と、立ち上がり板部１０とを備え、ベース板部９がランナー３の溝内底面部に一方の側壁部３ａ側に偏って固定されると共に、立ち上がり板部１０が、ランナー３のもう一方の側壁３ａよりも突出する部分において、ビス１３で、スタッド４に結合されている。金物８の立ち上がり板部１０には、補強兼用の対のリブ板部１０ｂが備えられているとよい。【選択図】      図１
2008303557.tif 000002
【特許請求の範囲】
【請求項１】
床側と天井側とに溝形のランナーが取り付けられると共に、複数本のスタッドの上下の端部が、各ランナーの溝内に、該溝の一方の側壁に当接し、もう一方の側壁から離間する態様で、溝の延びる方向に千鳥状に配置され、一方の室に面する側に偏って位置するスタッドを下地として該一方の室側の壁面板が取り付けられると共に、もう一方の室に面する側に偏って位置するスタッドを下地としてもう一方の室側の壁面板が取り付けられた、千鳥スタッド間仕切り構造において、
各スタッドは、金物で各ランナーに固定されており、
該金物は、
ランナーの溝内底面部に沿わされるベース板部と、
ベース板部から立ち上がって、スタッドの端部を該端部が当接するランナー溝内の側壁との協働により挟むと共に、ランナー溝内のもう一方の側壁よりも突出する立ち上がり板部と
を備え、ベース板部がランナーの溝内底面部に固定されると共に、立ち上がり板部が、ランナー溝内の前記もう一方の側壁よりも突出する部分において、ビスで、スタッドに結合されていることを特徴とする千鳥スタッド間仕切り構造。
【請求項２】
前記金物の立ち上がり板部の幅方向の両側部のそれぞれに、ランナーの延びる方向においてスタッドの左右の側面部と係合してスタッドの位置決めをする補強兼用の対のリブ板部が備えられている請求項１に記載の千鳥スタッド間仕切り構造。
【請求項３】
スタッドの端部が、ランナーの溝内において偏って位置する側の側壁部に対して、両面テープで接合固定されると共に、前記金物のベース板部とランナーの溝内底面部との間に緩衝材が介設されている請求項１又は２に記載の千鳥スタッド間仕切り構造。
【請求項４】
前記金物は、そのベース板部をランナーの溝内底面部に沿わせ、溝内の少なくとも一方の側壁から離間させた状態で、上下方向の軸線回りで回転することにより、ベース板部が溝内の両側壁に当接し、取付けのための向き決め状態が形成されるようになされている請求項１乃至３のいずれか一に記載の千鳥スタッド間仕切り構造。
【発明の詳細な説明】
【技術分野】
【０００１】
本発明は、鋼製下地を用いた遮音間仕切り構造に関する。
【背景技術】
【０００２】
図５に示すように、床５１側と天井５２側とに溝形の鋼製ランナー５３，５３が取り付けられ、複数本の鋼製スタッド５４…の上下の端部が、各ランナー５３，５３の溝内に、該溝の一方の側壁部５３ａに当接し、もう一方の側壁部５３ａから離間する態様で、溝の延びる方向に千鳥状となるように配置され、一方の室５５に面する側に偏って位置するスタッド５４…を下地として該一方の室側の壁面板５７が取り付けられると共に、もう一方の室５６に面する側に偏って位置するスタッド５４…を下地としてもう一方の室側の壁面板５７が取り付けられた、千鳥スタッド間仕切り構造は、従来より提供されている。
【０００３】
そして、スタッド５４…を、上記のような千鳥状配置においてランナー５３に固定する方法として、図５（ロ）に示すように、ランナー５３の側壁部５３ａの外面部側からビス５８を打つことによって、ランナー５３の側壁部５３ａと、該側壁部５３ａの側に偏って配置されたスタッド５４とを結合する方法がある。
【特許文献１】特開２００６−２９９５０７号公報
【発明の開示】
【発明が解決しようとする課題】
【０００４】
しかしながら、上記のような方法では、ビス５８…の頭部５８ａが、ランナー５３の各側壁部５３ａ，５３ａの外面部から外方に突出し、壁面板５７，５７をスタッド５４に取り付けると、ビス５８…の頭部５８ａによって各壁面板５７，５７の上下部がランナー５３の側壁部５３ａから外方に浮き、壁面板５７，５７の上下部と中央部とにおいて１ｍｍ以上の大きな不陸を生じさせてしまうという問題がある。
【０００５】
また、壁体としての面内剛性の強化、及び、スタッド５４…の振止めのため、スタッド５４，５４同士を高さ方向の中間部において図示しないジョイント金物でジョイントすることがあり、この金物によってスタッド５４…の千鳥状配置による縁切り効果が低減されて、サウンドブリッジによる遮音性能の低下を招いてしまいやすいという問題もある。
【０００６】
本発明は、上記のような問題点に鑑み、壁面板の不陸をなくすことができ、また、壁体としての面内剛性の強化とスタッドの振止めを実現できながら、高い遮音性能を維持することができる等の効果を発揮することができる千鳥スタッド間仕切り構造を提供することを課題とする。
【課題を解決するための手段】
【０００７】
上記の課題は、床側と天井側とに溝形のランナーが取り付けられると共に、複数本のスタッドの上下の端部が、各ランナーの溝内に、該溝の一方の側壁に当接し、もう一方の側壁から離間する態様で、溝の延びる方向に千鳥状に配置され、一方の室に面する側に偏って位置するスタッドを下地として該一方の室側の壁面板が取り付けられると共に、もう一方の室に面する側に偏って位置するスタッドを下地としてもう一方の室側の壁面板が取り付けられた、千鳥スタッド間仕切り構造において、
各スタッドは、金物で各ランナーに固定されており、
該金物は、
ランナーの溝内底面部に沿わされるベース板部と、
ベース板部から立ち上がって、スタッドの端部を該端部が当接するランナー溝内の側壁との協働により挟むと共に、ランナー溝内のもう一方の側壁よりも突出する立ち上がり板部と
を備え、ベース板部がランナーの溝内底面部に固定されると共に、立ち上がり板部が、ランナー溝内の前記もう一方の側壁よりも突出する部分において、ビスで、スタッドに結合されていることを特徴とする千鳥スタッド間仕切り構造によって解決される（第１発明）。
【０００８】
この構造では、金物の立ち上がり板部が、スタッドの端部が偏って位置する側とは反対側のランナー溝内の側壁から内方に離間しているので、該立ち上がり板部にビスを打っても、ビスの頭部がランナーの側壁の外方に突出せず、従って、壁面板の取付けを行っても、壁面板がランナーの側壁部から浮いてしまうことがなく、壁面板の不陸をなくすことができる。
【０００９】
しかも、金物の立ち上がり板部は、ランナー溝内の側壁部よりも突出しており、ビスは、その突出している部分において打たれているので、ビスの打込みも、ランナーの側壁部に妨げられることなく、容易に行うことができる。
【００１０】
第１発明において、前記金物の立ち上がり板部の幅方向の両側部のそれぞれに、ランナーの延びる方向においてスタッドの左右の側面部と係合してスタッドの位置決めをする補強兼用の対のリブ板部が備えられているとよい（第２発明）。
【００１１】
この場合は、金物の立ち上がり板部に設けられた対のリブ板部によって立ち上がり板部が補強され、しかも、該立ち上がり板部がランナーの両側壁部よりも突出し、該突出部分においてビスが打たれていることによって、スタッドが補強され、壁体としての面内剛性の強化とスタッドの振止めを実現できながら、高い遮音性能を維持することができる。
【００１２】
第１，第２発明において、スタッドの端部が、ランナーの溝内において偏って位置する側の側壁部に対して、両面テープで接合固定されると共に、前記金物のベース板部とランナーの溝内底面部との間に緩衝材が介設されているとよい（第３発明）。この場合は、両面テープによる固定と緩衝材による緩衝作用によって、擦れ音の発生を防ぐことができる。
【００１３】
第１〜第３発明において、前記金物は、そのベース板部をランナーの溝内底面部に沿わせ、溝内の少なくとも一方の側壁から離間させた状態で、上下方向の軸線回りで回転することにより、ベース板部が溝内の両側壁に当接し、取付けのための向き決め状態が形成されるようになされているとよい（第４発明）。
【００１４】
この場合は、金物のベース板部は、ランナーの溝内の少なくとも一方の側壁から離間させた状態を形成できるようになされているので、ランナーの側壁部間での遊びを利用して、金物のベース板部をランナーの溝内底面部に対して該底面部に沿うようにスムーズに設置することができ、しかも、上下方向の軸線回りで回転することで、ベース板部が溝内の両側壁に当接し、取付けのための向き決め状態が形成されるようになされているので、ベース板部をランナーの溝内底面部において容易に所定の向きに位置決めすることができて、施工を容易にすることができる。
【発明の効果】
【００１５】
本発明は、以上のとおりのものであるから、壁面板の不陸をなくすことができしかも、ビス打ちも、周囲との取り合い関係に妨げられることなく、容易に行うことができる。また、壁体としての面内剛性の強化とスタッドの振止めを実現できながら、高い遮音性能を維持することができる等の効果を発揮することができる。
【発明を実施するための最良の形態】
【００１６】
次に、本発明の実施最良形態を図面に基づいて説明する。
【００１７】
図１〜図４に示す実施形態の千鳥スタッド間仕切り構造は、図４（イ）（ロ）に示すように、床１側と天井２側とに溝形の鋼製ランナー３，３が取り付けられると共に、中空角形の複数本のスタッド４…の上下の端部が、各ランナー３の溝内に、該溝の一方の側壁部３ａに当接し、もう一方の側壁部３ａから離間する態様で、溝の延びる方向に千鳥状となるように配置され、一方の室５に面する側に偏って位置するスタッド４…を下地として該一方の室５側の石こうボード等の壁面板７が取り付けられると共に、もう一方の室６に面する側に偏って位置するスタッド４…を下地としてもう一方の室６側の同じく石こうボード等の壁面板７が取り付けられたもので、各スタッド４は、金物８で各ランナー３，３に固定されている。
【００１８】
この金物８は、図１及び図２に示すように、鋼板の曲げ成形品、あるいは、樹脂成形品などからなっていて、千鳥状に配置される隣り合う２本のスタッド４，４を取り付けることができるようになされていて、ベース板部９と、各スタッド用の２つの立ち上がり板部１０，１０とを備えている。
【００１９】
ベース板部９は、一方のスタッド４の端面部を受ける部分と、もう一方のスタッド４の端面部を受ける部分とを連接した平面視Ｚ形の板部からなっており、各部分の面内中央部には、ビス打ち用の下孔９ａ，９ａが設けられている。
【００２０】
各立ち上がり板部１０は、図１（ロ）に示すように、スタッド４の端部を該端部が当接するランナー３の溝内の側壁部３ａとの協働により挟むもので、ベース板部９をランナー３の溝内底面部に沿わせた状態でランナー３の溝内のもう一方の側壁部３ａよりも突出する高さ寸法を備えており、該突出する部分の高さ方向の中間部において、図２に示すように、ビス打ち用の下孔１０ａが設けられている。
【００２１】
また、各立ち上がり板部１０には、その幅方向の両側部のそれぞれに、ランナー３の延びる方向においてスタッド４の左右の側面部と係合してスタッド４の位置決めをする補強兼用の対のリブ板部１０ｂ，１０ｂが、立ち上がり板部１０の高さ方向のほぼ全長にわたる態様で備えられている。
【００２２】
また、上記の金物８は、図３（イ）に示すように、そのベース板部９をランナー３の溝内底面部に沿わせた状態で、溝内の少なくとも一方の側壁部３ａから離間させた状態にすることができるようになされており、その状態から、図３（ロ）に示すように、上下方向の軸線回りで回転することにより、ベース板部９が溝内の両側壁部３ａ，３ａに当接し、各立ち上がり板部１０，１０が、それと向き合うランナー３の側壁部３ａと所定の間隔をおいて平行になった、取付けのための向き決め状態が形成されるようになされて、ランナー３の溝内への金物８の設置と向き決めを容易にすることができるようになされている。
【００２３】
施工は、床１側と天井２側とに取り付けた各ランナー３，３の溝内底面部に金物８のベース板部９を緩衝材１１を介して設置すると共に、回転変位させることで向き決め状態にし、そして、金物８のベース板部９の下孔９ａ，９ａを通じてビス１２，１２を打ち、金物８をランナー３の溝内底面部に固定する。
【００２４】
次いで、金物８の各立ち上がり板部１０とランナー３の溝内の側壁部３ａとの間にスタッド４の端部を嵌め込み、立ち上がり板部１０の外面側から、下孔１０ａを通じてスタッド４の端部にビス１３を打って、スタッド４と立ち上がり板部１０とを結合すると共に、該スタッド４の端部を、ランナー３の溝内において該スタッド４が偏って位置する側の側壁部３ａに対して両面テープ１４で接合して固定する。
【００２５】
そして、図１（イ）に示すように、一方の室５側の壁面材７を、その室５側に偏って位置するスタッド４…を下地として取り付け、もう一方の室６側の壁面材７を、その室６側に偏って位置するスタッド４…を下地として取り付ければ、千鳥スタッド間仕切り構造が形成される。
【００２６】
上記の構造によれば、金物８の立ち上がり板部１０が、スタッド４の端部が偏って位置する側とは反対側のランナー３の側壁部３ａから内方に離間しているので、該立ち上がり板部１０にビス１３を打ってスタッド４を接合しても、ビス１３の頭部１３ａがランナー３の側壁部３ａの外方に突出せず、そのため、壁面板７，７の取付けを行っても、壁面板７，７がランナー３の側壁部３ａ，３ａから浮いてしまうことがなく、壁面板７，７の不陸をなくすことができる。
【００２７】
しかも、金物８の立ち上がり板部１０は、ランナー３の側壁部３ａよりも上下方向に突出しており、ビス１３は、その突出している部分において打たれているので、ビス１３の打込みも、ランナー３の側壁部３ａに妨げられることなく容易に行うことができる。
【００２８】
加えて、金物８の各立ち上がり板部１０に設けられた対のリブ板部１０ｂ，１０ｂによって各立ち上がり板部１０が補強され、各立ち上がり板部１０がランナー３の両側壁部３ａ，３ａよりも上下方向に突出し、該突出部分においてビス１３が打たれているので、スタッド４…に補強効果が及ぼされ、壁体としての面内剛性の強化とスタッドの振止めを実現できながら、高い遮音性能も維持することができる。
【００２９】
更に、両面テープ１４による固定と緩衝材１１による緩衝作用によって、ランナー３、金物８及びスタッド４の相互間の擦れ音の発生も防がれる。
【００３０】
以上に、本発明の実施形態を示したが、本発明はこれに限られるものではなく、発明思想を逸脱しない範囲で各種の変更が可能である。例えば、上記の実施形態では、スタッド４…が鋼製スタッドからなる場合を示したが、スタッドとして種々の材質のものが用いられてよい。また、上記の実施形態では、１つの金物８に、千鳥状配置にされる２本のスタッド４，４を取り付けるための２つの立ち上がり板部１０，１０が備えられている場合を示したが、１本のスタッドを取り付けるための１つの立ち上がり板部を備えた金物に構成されてもよい。
【図面の簡単な説明】
【００３１】
【図１】実施形態の千鳥スタッド間仕切り構造を示すもので、図（イ）は断面平面図、図（ロ）は断面側面図である。
【図２】同一部断面分解斜視図である。
【図３】図（イ）及び図（ロ）はランナーの溝内への金物の設置方法及び向き決め方法を示す平面図である。
【図４】図（イ）は千鳥スタッド間仕切り構造の一部断面全体正面図、図（ロ）は図（イ）のＩ−Ｉ線断面矢視図である。
【図５】従来の千鳥スタッド間仕切り構造を示すもので、図（イ）は一部断面全体正面図、図（ロ）は図（イ）のＩＩ−ＩＩ線断面矢視図、図（ハ）は断面側面図である。
【符号の説明】
【００３２】
１…床
２…天井
３…ランナー
３ａ…側壁部
４…スタッド
７…壁面材
８…金物
９…ベース板部
１０…立ち上がり板部
１０ｂ…リブ板部
１１…緩衝材
１３…ビス
１３ａ…頭部
１４…両面テープ
【図１】
2008303557.tif 000003
【図２】
2008303557.tif 000004
【図３】
2008303557.tif 000005
【図４】
2008303557.tif 000006
【図５】
2008303557.tif 000007